(57)【要約】      （修正有）【課題】ヘアカーラー用クリップ表面に金属被膜処理を施して、カーラーから発せられる熱や遠赤外線を反射利用可能とし、加えて、樹脂製の軽量で使いやすい構成としたヘアカーラー用クリップを提供する。【解決手段】ヘアカーラーと共に毛髪を挟む挟持片１を備えたヘアカーラー用クリップであって、開閉可能の一対の挟持片１を備え、挟持片１をポリカーボネートによって形成し、その表面にＰＶＤコーティングによる金属被膜処理を施している。【選択図】図１
0003220927.tif 000002
【実用新案登録請求の範囲】
【請求項１】
ヘアカーラーと共に毛髪を挟む挟持片（１）を備えたヘアカーラー用クリップであって、
挟持片（１）の表面に金属被膜処理を施したことを特徴とするヘアカーラー用クリップ。
【請求項２】
挟持片（１）をポリカーボネートによって形成し、その表面にＰＶＤコーティングによる金属被膜処理を施したことを特徴とする請求項１記載のヘアカーラー用クリップ。
【請求項３】
開閉可能の一対の挟持片（１）を備えたことを特徴とする請求項１又は２記載のヘアカーラー用クリップ。
【請求項４】
湾曲した櫛歯状の挟持片（１）を備えており、その挟持片（１）を閉じる方向に付勢する付勢手段を備えたことを特徴とする請求項１、２又は３記載のヘアカーラー用クリップ。
【考案の詳細な説明】
【技術分野】
【０００１】
本考案は、理容店や美容院等または家庭用として利用されるヘアカーラー用クリップに関し、特に、ヘアカーラー用クリップ表面に金属被膜処理を施して、カーラーから発せられる熱や遠赤外線を反射利用可能とし、加えて、樹脂製の軽量で使いやすい構成としたヘアカーラー用クリップに関する。
【背景技術】
【０００２】
一般に、毛髪にボリューム感、弾力、カールやウェーブ形状等の型付けを行う際に、加熱した円筒状のカーラーに毛髪を巻付け、毛髪を加温する処理が行われる。
そして、これらカーラーの毛髪を巻付けに際しては、髪の毛を巻き付けた円筒状のヘアカーラーの外周に一対の櫛歯状の挟持片を備えたヘアカーラー用クリップを挟んで固定する作業が行われる。
このようなヘアカーラー用クリップに関する技術として特許文献１、２の技術が知られている。
【先行技術文献】
【特許文献】
【０００３】
【特許文献１】特開２００２−３３６号公報
【特許文献２】実用新案登録番号第３０１８９２８号公報
【考案の概要】
【考案が解決しようとする課題】
【０００４】
しかしながら、特許文献１，２の技術は、ヘアカーラー用クリップ本体が合成樹脂で形成されているために、カーラーから発する熱や遠赤外線は放散され、効果的な毛髪の型付け処理ができないという問題があった。
特に、樹脂製クリップは遠赤外線が通過するために、カーラーから発せられる遠赤外線を有効利用できないという問題があった。
本考案は、かかる従来の問題を解決するためになされたものであって、その目的とするところは、ヘアカーラー用クリップ表面に金属被膜処理を施して、カーラーから発せられる熱や遠赤外線を反射利用可能とし、加えて、樹脂製の軽量で使いやすい構成としたヘアカーラー用クリップを提供することにある。
【課題を解決するための手段】
【０００５】
前記目的を達成するための手段として請求項１記載のヘアカーラー用クリップでは、    ヘアカーラーと共に毛髪を挟む挟持片（１）を備えたヘアカーラー用クリップであって、  挟持片（１）の表面に金属被膜処理を施したことを特徴とする。
【０００６】
請求項２記載のヘアカーラー用クリップでは、請求項１記載のヘアカーラー用クリップにおいて、挟持片（１）をポリカーボネートによって形成し、その表面にＰＶＤコーティングによる金属被膜処理を施したことを特徴とする。
【０００７】
請求項３記載のヘアカーラー用クリップでは、請求項１又は２記載のヘアカーラー用クリップにおいて、開閉可能の一対の挟持片（１）を備えたことを特徴とする
【０００８】
請求項４記載のヘアカーラー用クリップでは、請求項１、２又は３記載のヘアカーラー用クリップにおいて、湾曲した櫛歯状の挟持片（１）を備えており、その挟持片（１）を閉じる方向に付勢する付勢手段を備えたことを特徴とする。
【考案の効果】
【０００９】
請求項１記載のヘアカーラー用クリップでは、挟持片の表面に金属被膜処理を施したので、ヘアカーラーに巻き付けた毛髪の外側から、金属被膜が遠赤外線を反射して毛髪に照射し、効果的に毛髪の型付けが行われる。
【００１０】
請求項２記載のヘアカーラー用クリップでは、挟持片をポリカーボネートで形成したので、保温効果が得られ、熱を放散せずに、効果的に毛髪の型付けが行われる。
また、一般のメッキではポリカーボネートに金属被膜処理は困難であるが、ＰＶＤコーティングによるので、樹脂表面に確実に金属被膜処理を行うことができる。
【００１１】
請求項３記載のヘアカーラー用クリップでは、開閉可能の一対の挟持片を備えているので、カーラーに絡ませた毛髪を容易に掴むことができる。
【００１２】
請求項４記載のヘアカーラー用クリップでは、湾曲した櫛歯状の挟持片を備えており、その挟持片を閉じる方向に付勢する付勢手段を備えているので、カーラーに絡ませた毛髪への取り付け、取り外しが容易に行われる。
【図面の簡単な説明】
【００１３】
【図１】ヘアカーラー用クリップの斜視図である。
【図２】ヘアカーラー用クリップの正面図である。
【図３】ヘアカーラーを掴んだ状態を示すヘアカーラー用クリップの側面図である。
【考案を実施するための形態】
【実施例１】
【００１４】
本考案の第１実施例に係るヘアカーラー用クリップは、図１〜３に示すように、合成樹脂によって形成された一対の対合された挟持片１を備えている。
前記挟持片１は、それぞれ上端の掴み部２と、掴み部から内側に屈曲した接合部３と、その接合部３から外側に膨らむように湾曲した湾曲部４を備えている。
【００１５】
掴み部２は本体中央部分の上側に突設されており、互いに対合した状態で上端部分が上側に向かって開いた状態とされている。使用時には両方の掴み部２を片手で掴んで内側に回動させて使用する。
掴み部２の左右幅は湾曲部４よりも狭く設定され、全体形状は幅広の湾曲部４の上側に掴み部２が突設された構成とされている。
【００１６】
接合部３は掴み部２から内側に折り曲がった部位であり、双方の挟持片１がこの接合部３によって一対に組み合わされている。
左右の挟持片１は接合部３を基点として、開いたり閉じたりする回動する。すなわち、接合部３にはバネによる付勢手段が備えられており、付勢手段に抗して掴み部２を閉じると湾曲部４が開き、復元力により掴み部２を開くと湾曲部４が閉じる方向に回動する。
【００１７】
前記湾曲部４は櫛歯状に形成され、その歯先部は、両挟持片１を組付けた状態においては互いに櫛が相手の櫛間の隙間に入り込む位置関係にあり、両湾曲部４を閉じた状態においては櫛歯の先端部分がかみ合わさるように構成されている。
また、歯先の先端から１０ｍｍ前後手前には櫛の隙間を閉塞したストッパ５が設けられている。湾曲部を閉じると櫛歯の先端部分が互いにこのストッパ５に突き当たって、櫛の入り込みが阻止され、閉じ位置が規制されている。
【００１８】
前記挟持片１はポリカーボネートによって形成されている。ポリカーボネートは炭酸エステル結合をもつ高分子化合物であり、軽量、折り曲げに強く、耐熱性、保温性に優れる等の特性を有している。
本実施例のヘアカーラー用クリップは、このポリカーボネートの表面にＰＶＤコーティング（物理蒸着法）による金属被膜処理を施したものである。
このＰＶＤコーティングは、物質の表面に薄膜を形成する蒸着法であり、真空蒸着など物理的な方法で金属や化合物などを蒸発させ，基板上に堆積させて皮膜を得る方法である。
このＰＶＤコーティングによると、電極湿式メッキ（ＣＶＤ等の化学蒸着）が困難なポリカーボネートであっても、容易にしかも確実に金属被膜処理が行われる。
被膜処理を行う金属としては、（Ｔｉ、Ａｌ、Ｃｒ、Ｓｉ他）が挙げられる。金属被膜の厚さは特に限定されるものではないが、一例として数μ〜数百μとされる。
【００１９】
次に、本実施例のヘアカーラー用クリップの使用方法を説明する。
毛髪の型付け処理に際し、ヘアカーラー６を所定の温度に加熱し、それをスタイリングを施したい毛髪部位に巻付け、その外周に本考案のヘアカーラー用クリップを挟んで固定する。
このとき、掴み部２を片手で掴んで湾曲部４を開き、開いた湾曲部４の間にヘアカーラー６を挟み込む。挟持片１にはバネによる付勢手段が備えられているので、付勢手段の復元力によりヘアカーラー６の外周に毛髪が固定される。
ヘアカーラー６を取り付けると、ヘアカーラー６の熱及び遠赤外線が毛髪に伝達される。
このとき、ヘアカーラー用クリップは樹脂製であるので、保温効果を発揮すると共に、表面の金属面が遠赤外線を反射して、効率的にスタイリング効果を発揮する。
所定時間経過した後に、掴み部２を内側に回動させると、湾曲部４が開き、毛髪の固定状態が解除されるので、毛髪からヘアカーラー６を取り外す。
これにより、毛髪にボリューム感、弾力、カールやウェーブ等の型付け処理がなされる。
【００２０】
以上、本考案の実施例を説明したが、本考案の具体的な構成はこの実施例に限定されるものではなく、考案の要旨を逸脱しない範囲における設定変更等があっても本考案に含まれる。
例えば、前記実施例では、ヘアカーラー用クリップは櫛歯状の湾曲部４を備えた構成について説明したが、湾曲部４の形状は櫛歯状以外でも適用可能であり、隙間等は形成しない形状であっても本考案に含まれる。
また、ＰＶＤコーティングの方法としては、ポリカーボネートに、主にはポリウレタンアクリレート、その他、反応性モノマー、光開始剤、酢酸ブチル、酢酸エチルの混合下地をコーティングした上に、ＰＶＤコーティングを施す方法であっても本発明に含まれる。
また、ＰＶＤコーティング上に、ポリウレタンアクリレート、その他、反応性希釈剤、光開始剤、溶剤の混合物でコーティングを行うことも可能である。
【符号の説明】
【００２１】
１  挟持片
２  掴み部
３  接合部
４  湾曲部
５  ストッパ
６  ヘアカーラー
【図１】
0003220927.tif 000003
【図２】
0003220927.tif 000004
【図３】
0003220927.tif 000005